(57)【要約】【課題】  表示装置に備えられる表示内容保存手段が保存する画像情報を利用することによって利用者の所望する画像を抽出したり挿入したりすることができる表示装置、画像処理回路及びこの表示装置を利用する画像処理方法の提供。【解決手段】  表示する画像情報を保存する表示内容保存手段を有する表示装置に設けられる回路であって、前記表示内容保存手段に保存される画像情報を抽出する抽出手段と、前記抽出手段へ抽出を行う命令を送信する命令送信手段からなることを特徴とする。【選択図】  図２
2005285050.tif 000002
【特許請求の範囲】
【請求項１】
表示する画像情報を保存する表示内容保存手段を有する表示装置に設けられる回路であって、
前記表示内容保存手段に保存される画像情報を抽出する抽出手段と、
前記抽出手段へ抽出を行う命令を送信する命令送信手段
からなることを特徴とする画像抽出回路。
【請求項２】
画像入力装置からの画像情報を表示可能に処理する画像処理手段と該画像処理手段によって処理された画像情報を表示する表示手段とを有する表示装置に設けられる回路であって、
前記画像処理手段から送信される画像情報を分配する分配手段と、
前記分配手段によって分配された画像情報を保存する表示内容保存手段と、
前記表示内容保存手段に保存される画像情報を抽出する抽出手段と、
前記抽出手段へ抽出を行う命令を送信する命令送信手段
からなることを特徴とする画像抽出回路。
【請求項３】
前記回路が、前記抽出手段によって抽出された画像情報を保存する画像情報記憶手段を有していることを特徴とする請求項１又は２に記載の画像抽出回路。
【請求項４】
前記回路が、前記抽出手段によって抽出される画像情報を所定の形式に変換し出力を行う変換出力手段を有していることを特徴とする請求項１乃至３いずれかに記載の画像抽出回路。
【請求項５】
前記所定の形式が、DICOM（Digital Imaging and Communications in Medicine）であることを特徴とする請求項４に記載の画像抽出回路。
【請求項６】
前記回路が、前記抽出手段によって抽出された画像情報を通信ネットワークへ出力可能にするネットワーク出力手段を有することを特徴とする請求項１乃至５いずれかに記載の画像抽出回路。
【請求項７】
前記回路が、画像情報を前記表示内容保存手段に挿入する挿入手段を有していることを特徴とする請求項１乃至６いずれかに記載の画像抽出回路。
【請求項８】
画像入力装置から送信された画像情報を表示する表示装置であって、
前記画像情報を前記表示装置で表示することができるように処理する画像処理手段と、
前記画像処理手段に於いて処理された画像情報を保存する表示内容保存手段と、
前記表示内容保存手段に保存される画像情報を抽出する抽出手段と、
前記抽出手段へ抽出を行う命令を送信する命令送信手段
からなることを特徴とする表示装置。
【請求項９】
画像入力装置からの画像情報を表示可能に処理する画像処理手段と該画像処理手段によって処理された画像情報を表示する表示手段とを有する表示装置であって、
前記画像処理手段から送信される画像情報を分配する分配手段と、
前記分配手段によって分配された画像情報を保存する表示内容保存手段と、
前記表示内容保存手段に保存される画像情報を抽出する抽出手段と、
前記抽出手段へ抽出を行う命令を送信する命令送信手段
からなることを特徴とする表示装置。
【請求項１０】
前記表示装置が、前記抽出手段によって抽出された画像情報を保存する画像情報記憶手段を有していることを特徴とする請求項８又は９に記載の表示装置。
【請求項１１】
前記表示装置が、前記抽出手段によって抽出された画像情報を所定の形式に変換し出力を行う変換出力手段を有していることを特徴とする請求項８乃至１０いずれかに記載の表示装置。
【請求項１２】
前記所定の形式が、DICOM（Digital Imaging and Communications in Medicine）であることを特徴とする請求項１１記載の表示装置。
【請求項１３】
前記表示装置が、前記抽出手段によって抽出された画像情報を通信ネットワークへ出力可能にするネットワーク出力手段を有することを特徴とする請求項８乃至１２いずれかに記載の表示装置。
【請求項１４】
前記表示装置が、画像情報を前記表示内容保存手段に挿入する挿入手段を有していることを特徴とする請求項８乃至１３いずれかに記載の表示装置。
【請求項１５】
表示装置に表示されている画像を抽出する画像処理方法であって、
前記表示装置が表示する画像情報を保存する前記表示内容保存手段に保存されている画像情報を表示し、
前記画像情報が表示された際に、前記表示内容保存手段へ保存している画像情報を抽出する抽出命令を送信し、
前記抽出命令に従って、前記表示内容保存手段に保存される画像情報を抽出することを特徴とする画像処理方法。
【請求項１６】
前記抽出された画像情報は、所定の形式に変換されて出力されることを特徴とする請求項１５記載の画像処理方法。
【請求項１７】
前記所定の形式が、DICOM（Digital Imaging and Communications in Medicine）であることを特徴とする請求項１６記載の画像処理方法。
【請求項１８】
前記表示内容保存手段に所望する画像情報を挿入し、
挿入された前記画像情報を表示装置に於いて表示することを特徴とする請求項１５乃至１７いずれかに記載の画像処理方法。
【発明の詳細な説明】
【技術分野】
【０００１】
本発明は、表示装置、画像処理回路及び画像処理方法に関し、より詳しくは、表示装置に備えられる表示内容保存手段が保存する画像情報を利用することによって利用者の所望する画像を抽出したり挿入したりすることができる表示装置、画像処理回路及びこの表示装置を利用する画像処理方法に関する。
【背景技術】
【０００２】
テレビ、ビデオ、パソコン等の画像入力ソース（画像入力装置）から出力される画像に関する画像情報は、表示装置内の画像処理手段へ入力され、この画像処理手段によって処理された後に、画像情報を表示する表示手段へ送信され、この画像情報を画像として表示している（図１９（ａ）参照）。
この画像情報を表示装置に表示する方法は２通りが考えられる。第１の方法としては、画像処理手段によって処理された画像情報を全て表示手段に、更新される毎に転送して表示する方法である（図１９（ａ）参照）。
第２の方法としては、画像処理手段によって処理された画像情報を一時的に保存するビットマップメモリのような表示内容保存手段を設け、画像処理手段から転送される画像情報をこの表示内容保存手段に保存し、転送される画像情報と転送され（更新され）表示内容保存手段に保存されている画像情報（更新される画像情報）とを比較し、これらの画像情報の差分（更新される画像情報）のみを表示手段に送信して表示する方法がある（図１９（ｂ）参照）。
通常、上記する第１又は第２方法によって、画像情報は表示装置に於いて表示されることとなる。
【０００３】
これらの上記する方法を利用することによって、画像処理装置によって処理された画像情報が表示装置によって表示されるが、表示された画像情報（表示されている画像）を電子情報として抽出するためには、画像処理手段に入力される前の画像入力装置の種類に応じて夫々の画像入力装置に対応した画像情報を抽出することのできる画像抽出装置（画像情報を抽出することのできる装置）を用意する必要があった（図１９（ｃ）参照）。
このため、複数の画像入力装置が接続されている表示装置は、表示されている画像（画像情報）を抽出して、電子情報を抽出しようとする際に、夫々の画像入力装置に対応する電子表示装置を必要としていたため、装置として大掛りとなるとともに、多額の費用を必要としていた。
【０００４】
近年、表示装置に設けられる表示内容保存手段を利用した発明や考案が多数創出されている。
例えば、特許文献１に開示されるように、２値情報を格納した複数のディスプレイメモリプレーン（表示内容保存手段に記憶させる）を制御して、画面上に該２値情報によるグラフィックス表示を行うことができる画像表示制御回路の発明や、特許文献２に示されるように、表示内容保存手段を利用することによって、多階調画像の記憶及び再生を行うことができるファイリング装置の発明が創出されている。
しかしながら、特許文献１及び２の発明では、上記するような、問題点を解決するには至らなかった。
【０００５】
【特許文献１】特公平６−９７３９１号公報
【特許文献２】特開昭６３−１９１１８９号公報
【発明の開示】
【発明が解決しようとする課題】
【０００６】
本発明は、このような実情に鑑みてなされたもので、表示装置の表示内容保存手段を利用して、表示装置に備えられる表示内容保存手段が保存する画像情報を利用することによって、利用者の所望する画像を抽出したり挿入したりすることができる表示装置、画像処理回路及びこの表示装置を利用する画像処理方法を提供する。
【課題を解決するための手段】
【０００７】
請求項１記載の発明は、表示する画像情報を保存する表示内容保存手段を有する表示装置に設けられる回路であって、前記表示内容保存手段に保存される画像情報を抽出する抽出手段と、前記抽出手段へ抽出を行う命令を送信する命令送信手段からなることを特徴とする画像抽出回路を提供する。
請求項２記載の発明は、画像入力装置からの画像情報を表示可能に処理する画像処理手段と該画像処理手段によって処理された画像情報を表示する表示手段とを有する表示装置に設けられる回路であって、前記画像処理手段から送信される画像情報を分配する分配手段と、前記分配手段によって分配された画像情報を保存する表示内容保存手段と、前記表示内容保存手段に保存される画像情報を抽出する抽出手段と、前記抽出手段へ抽出を行う命令を送信する命令送信手段からなることを特徴とする画像抽出回路を提供する。
請求項３記載の発明は、前記回路が、前記抽出手段によって抽出された画像情報を保存する画像情報記憶手段を有していることを特徴とする請求項１又は２に記載の画像抽出回路を提供する。
請求項４記載の発明は、前記回路が、前記抽出手段によって抽出される画像情報を所定の形式に変換し出力を行う変換出力手段を有していることを特徴とする請求項１乃至３いずれかに記載の画像抽出回路を提供する。
請求項５記載の発明は、前記所定の形式が、DICOM（Digital Imaging and Communications in Medicine）であることを特徴とする請求項４に記載の画像抽出回路を提供する。
請求項６記載の発明は、前記回路が、前記抽出手段によって抽出された画像情報を通信ネットワークへ出力可能にするネットワーク出力手段を有することを特徴とする請求項１乃至５いずれかに記載の画像抽出回路を提供する。
請求項７記載の発明は、前記回路が、画像情報を前記表示内容保存手段に挿入する挿入手段を有していることを特徴とする請求項１乃至６いずれかに記載の画像抽出回路を提供する。
請求項８記載の発明は、画像入力装置から送信された画像情報を表示する表示装置であって、前記画像情報を前記表示装置で表示することができるように処理する画像処理手段と、前記画像処理手段に於いて処理された画像情報を保存する表示内容保存手段と、前記表示内容保存手段に保存される画像情報を抽出する抽出手段と、前記抽出手段へ抽出を行う命令を送信する命令送信手段からなることを特徴とする表示装置を提供する。
請求項９記載の発明は、画像入力装置からの画像情報を表示可能に処理する画像処理手段と該画像処理手段によって処理された画像情報を表示する表示手段とを有する表示装置であって、前記画像処理手段から送信される画像情報を分配する分配手段と、前記分配手段によって分配された画像情報を保存する表示内容保存手段と、前記表示内容保存手段に保存される画像情報を抽出する抽出手段と、前記抽出手段へ抽出を行う命令を送信する命令送信手段からなることを特徴とする表示装置を提供する。
請求項１０記載の発明は、前記表示装置が、前記抽出手段によって抽出された画像情報を保存する画像情報記憶手段を有していることを特徴とする請求項８又は９に記載の表示装置を提供する。
請求項１１記載の発明は、前記表示装置が、前記抽出手段によって抽出された画像情報を所定の形式に変換し出力を行う変換出力手段を有していることを特徴とする請求項８乃至１０いずれかに記載の表示装置を提供する。
請求項１２記載の発明は、前記所定の形式が、DICOM（Digital Imaging and Communications in Medicine）であることを特徴とする請求項１１記載の表示装置を提供する。
請求項１３記載の発明は、前記表示装置が、前記抽出手段によって抽出された画像情報を通信ネットワークへ出力可能にするネットワーク出力手段を有することを特徴とする請求項８乃至１２いずれかに記載の表示装置を提供する。
請求項１４記載の発明は、前記表示装置が、画像情報を前記表示内容保存手段に挿入する挿入手段を有していることを特徴とする請求項８乃至１３いずれかに記載の表示装置を提供する。
請求項１５記載の発明は、表示装置に表示されている画像を抽出する画像処理方法であって、前記表示装置が表示する画像情報を保存する前記表示内容保存手段に保存されている画像情報を表示し、前記画像情報が表示された際に、前記表示内容保存手段へ保存している画像情報を抽出する抽出命令を送信し、前記抽出命令に従って、前記表示内容保存手段に保存される画像情報を抽出することを特徴とする画像処理方法を提供する。
請求項１６記載の発明は、前記抽出された画像情報は、所定の形式に変換されて出力されることを特徴とする請求項１５記載の画像処理方法を提供する。
請求項１７記載の発明は、前記所定の形式が、DICOM（Digital Imaging and Communications in Medicine）であることを特徴とする請求項１６記載の画像処理方法を提供する。
請求項１８記載の発明は、前記表示内容保存手段に所望する画像情報を挿入し、挿入された前記画像情報を表示装置に於いて表示することを特徴とする請求項１５乃至１７記載の画像処理方法を提供する。
これらの発明を提供することによって、上記課題を悉く解決する。
【発明の効果】
【０００８】
請求項１及び２に記載の発明によって、表示装置に表示された画像であれば、この画像を入力した画像入力装置に影響を受けることなく、所望する画像を抽出することができる表示装置に設けられる画像処理回路を提供することができる。
請求項３記載の発明によって、抽出された画像情報を保存する画像情報記憶手段を有するので、抽出された画像情報を編集処理することができる表示装置に設けられる画像処理回路を提供することができる。
請求項４記載の発明によって、抽出された画像情報を所望する形式の画像形式に変換することができる画像抽出手段を有する表示内容保存手段を有する表示装置に設けられる画像処理回路を提供することができる。
請求項５記載の発明によって、抽出された画像情報を、医用デジタル画像の標準規格である医療画像に変換することができる表示装置に設けられる画像処理回路を提供することができる。
請求項６記載の発明によって、抽出した画像情報を通信ネットワークに出力することのできる表示装置に設けられる画像処理回路を提供する。
請求項７記載の発明によって、表示内容保存手段に所望する画像情報を挿入し、表示装置の表示手段で表示することができる表示装置に設けられる画像処理回路を提供することができる。
【０００９】
請求項８及び９に記載の発明によって、表示装置に表示された画像であれば、この画像を入力した画像入力装置に影響を受けることなく、所望する画像を抽出することができる表示装置を提供することができる。
請求項１０記載の発明によって、抽出された画像情報を保存する画像情報記憶手段を有するので、抽出された画像情報を編集処理することができる表示装置を提供することができる。
請求項１１記載の発明によって、抽出された画像情報を所望する形式の画像形式に変換することができる表示装置を提供することができる。
請求項１２記載の発明によって、抽出された画像情報を、医用デジタル画像の標準規格である医療画像に変換することができる表示装置を提供することができる。
請求項１３記載の発明によって、抽出した画像情報を通信ネットワークに出力することのできる表示装置を提供する。
請求項１４記載の発明によって、表示内容保存手段に所望する画像情報を挿入し、表示装置の表示手段で表示することができる表示装置を提供することができる。
【００１０】
請求項１５記載の発明によって、表示装置に表示された画像であれば、この画像を入力した画像入力装置に影響を受けることなく、所望する画像を抽出することができる画像処理方法を提供することができる。
請求項１６記載の発明によって、抽出された画像情報を所望する形式の画像形式に変換することができる画像処理方法を提供する。
請求項１７記載の発明によって、抽出された画像情報を、医用デジタル画像の標準規格である医療画像に変換することができる画像処理方法を提供することができる。
請求項１８記載の発明によって、表示内容保存手段に所望する画像情報を挿入することによって、所望する画像を表示装置の表示手段で表示することができる画像処理方法を提供することができる。
【発明を実施するための最良の形態】
【００１１】
本発明を実施するための最良の形態を説明する。
図１は、本発明に係る概略構成図を示し、図２は、本発明に係る画像抽出手段を有する表示装置（第１実施例の表示装置）の構成を示すブロック線図であり、図４は、記憶媒体が設けられた際の第１実施例の表示装置のブロック線図であり、図６は、通信ネットワークに接続される際の第１実施例の表示装置のブロック線図である。
【００１２】
尚、本明細書中に記載される「表示装置」という文言は、カラーディスプレイ、モノクロ高画質ディスプレイ、CRT（Cathode Ray Tube）ディスプレイやLCD（Liquid Crystal Display）ディスプレイ等のディスプレイ装置のことを指し示し、本明細書中では、「第１表示装置」という文言は表示内容保存手段を有する表示装置を示し、「第２表示装置」という文言は、表示内容保存手段を有していない表示装置を指し示す。
「表示内容保存手段」と言う文言は、表示装置内の画像処理手段と表示手段との間に設けられるとともに、画像処理手段から送信される画像情報を、送信（更新）される毎に画像情報を保存するメモリである。尚、この表示内容保存手段は、カラーディスプレイであれば１画素当たり24bit（R:8,G:8,B:8）、モノクロ高画質ディスプレイであれば１画素当たり16bitディスプレイの表示能力に適応した保存能力を有するものである。
本明細書中に記載される「画像処理手段」という文言は、表示装置内に設けられるとともに、後述する入力装置より入力される画像情報を表示手段に表示することができるように処理する手段を指し示している。
本明細書中で記載される「入力装置」という文言は、画像情報を表示装置へ転送する装置のことを指し示し、例えば、デジタルカメラ、デジタルビデオカメラ、パーソナルコンピュータ、内視鏡カメラ等がこの入力装置に当たる。
本発明に係る表示装置は、第１表示装置に於いて利用できる場合と、第２表示装置に於いて利用できる場合と夫々の場合に於いて本発明が利用できることを説明する。
【００１３】
本発明の第１表示装置を使用する第１実施例に於ける表示装置（１）について説明する。この第１実施例に於ける表示装置（１）は、上述する如く、表示内容保存手段を備える表示装置である。
本発明の表示装置（１）は、画像処理手段（１１）、表示内容保存手段（１２）、表示手段（１３）、抽出手段（１４）、命令送信手段（１５）、画像情報記憶手段（１６）と変換出力手段（１７）を有している。尚、第１実施例に於ける画像処理回路（１０）は、抽出手段（１４）、命令送信手段（１５）、画像情報記憶手段（１６）と変換出力手段（１７）を有している。
【００１４】
この画像処理手段（１１）は、上述する如く、画像入力装置（２）から入力される画像情報を表示手段（１３）で表示することができるように処理する。
表示内容保存手段（１２）は、画像処理手段（１１）で処理された画像情報を一時的に保存する。この表示内容保存手段（１２）は、画像処理手段（１１）によって処理された画像情報が所定時間毎に送信（更新）されており、最新の更新された画像情報が表示内容保存手段（１２）に保存されている。
表示手段（１３）は、表示内容保存手段（１２）に於いて保存されている画像情報を表示している。尚、表示内容保存手段（１２）から表示手段（１３）へ送信される画像情報は、この表示内容保存手段（１２）に更新された画像情報の中から、変化のあった画像情報の画像情報部分である。この表示手段（１３）に送信される画像情報が、目視可能な状態で表示手段（１３）に於いて表示されていることになる。
【００１５】
抽出手段（１４）は、表示内容保存手段（１２）に保存される画像情報を抽出する。この抽出手段（１４）が抽出する画像情報は、表示内容保存手段（１２）に保存されるとともに、表示手段（１３）に於いて表示されている画像情報となる。
この抽出手段（１４）が行う表示内容保存手段（１２）に保存される画像情報を抽出するタイミングは、表示内容保存手段（１２）には所定間隔で画像処理手段（１１）から画像情報が送信（更新）されているので、この送信されている画像情報が確実に送信され終わった際の表示内容保存手段（１２）に保存されている画像情報を抽出することができるように、所定間隔後の画像情報の送信終了時であり、この終了時点から抽出が開始される。
命令送信手段（１５）は、抽出手段（１４）が表示内容保存手段（１２）から画像情報を抽出する命令を送信する。この命令を受けて初めて抽出手段（１４）が表示内容保存手段（１２）に保存される画像情報を抽出することになる。
この命令送信手段（１５）は、表示手段（１３）で表示される画像を利用者が閲覧しながら操作することができるように設けられており、この利用者が所望する画像を抽出する際に、この命令送信手段（１５）に命令を発することにより動作するように設けられている。この命令送信手段（１５）は、適当なきっかけを与えて所定の動作を起こさせるパルスを発するようなトリガ回路から構成されれば構わない。
尚、この命令送信手段（１５）から命令が送信されると、上記したタイミングで抽出手段（１４）が画像情報の抽出を行うことになる。
画像情報記憶手段（１６）は、抽出手段（１４）に於いて抽出された画像情報を保存する。この保存される画像情報は、表示手段（１３）で表示される形式のまま保存されていることになる。尚、この画像情報記憶手段（１６）は、表示装置（１）内に抽出した画像情報を保存するために用いられる保存手段であるので、この画像処理回路（１０）に設けておくことが好ましい。
変換出力手段（１７）は、抽出手段（１４）によって抽出された画像情報を所定の形式に変換し出力を行う。
この変換出力手段（１７）が行う形式は、画像情報に関する形式であれば、特に限定されず、DICOM（Digital Imaging and Communications in Medicine）やJPEG（Joint Photographic Experts Group）、GIF（graphics interchange format）等の画像基準形式に変換することができる。特に、前記所定の形式が、DICOM形式に画像情報を変換することができることによって、抽出された画像情報をこの変換出力手段（１７）で変換し、医療用の画像情報として出力することができる。
【００１６】
図３には、上記した表示装置（１）を実現するための一実施例を示すブロック図である。
図３に示される実施例において、画像入力装置（２）が出力する画像データ形式の画像情報として、アナログRGB（Red Green Blue）形式による画像情報、Y/C（S端子）形式による画像情報（図３中ではS-videoと表示）、VBS（Video Burst and Sync signal）形式による画像情報、DVI（Digital Video Interleave）形式による画像情報を挙げることができる。これらの画像情報は、画像処理手段（１１）において入出力が制御される。この画像処理手段（１１）は、上記する各画像情報を入出力制御回路（IC：integrated circuit）に入力するために、A/D（analog-digital）変換回路（１１ａ）、A/D（NTSCデコーダ）変換回路（１１ｂ）及びD/D（digital-digital）変換回路（１１ｃ）を利用する（図３参照）。
【００１７】
表示内容保存手段（１２）は、図３においてメモリ（１２）が相当する。このメモリ（１２）において入出力制御回路（１１ｄ）から出力される画像情報を記憶する。
表示手段（１３）は、図３において、LCDパネル制御回路（１３ａ）とLCDパネル（１３ｂ）が相当し、入出力制御回路（１１ｄ）から出力される画像情報をLCDパネル制御回路（１３ａ）介して、LCDパネル（１３ｂ）で表示することができるように制御される。
抽出手段（１４）及び命令送信手段（１５）は、図３において、夫々出力制御回路（１４）及びトリガスイッチ（１５）が相当する。このトリガスイッチ（１５）からの入力に応じて出力制御回路（１４）が上記するように起動することになる。
図２の画像情報記憶手段（１６）は、図３において、メモリ（１６）が相当する。
図２の変換出力手段（１７）は、図３において、外部出力制御回路（１７）が相当する。この出力制御回路（１４）から送られてくる画像情報は、D/D変換回路（１７ａ）を介して変換出力手段（１７）へ送られる。外部出力制御回路（１７）は、入力された画像情報を外部接続する装置に送り出す。
【００１８】
図４では、記憶媒体（３）に本表示装置が接続する場合を示す。
この変換出力手段（１７）は、所定の形式に画像情報を変換し、他の装置の画像処理手段やフラッシュメモリ等の外部記憶装置へ、この画像情報を出力することができる機能を有している。
図４で示す如く、変換出力手段（１７）が補助画像処理手段（１８）に接続され、更に記憶媒体制御手段（１９）に接続されることにより、記憶媒体（３）へ出力してこの記憶媒体（３）で画像情報を保存させることもできる。この図４で示される画像処理回路（１０）は、抽出手段（１４）、命令送信手段（１５）、画像情報記憶手段（１６）、変換出力手段（１７）、補助画像処理手段（１８）と記憶媒体制御手段（１９）を有している。
この時、補助画像処理手段（１８）に画像情報が転送されることで、記憶媒体（３）へ保存するための要式を付与させ、次に、記憶媒体制御手段（１９）へ画像情報を転送することによって、外部に設けられる記憶媒体（３）へ送信する。
この記憶媒体（３）は、特に限定されるものではないが、記憶媒体制御手段（１９）がUSB（Universal Serial Bus）用の出力端子を有していれば、USB用の入力端子を有する記憶媒体（３）であれば構わず、記憶媒体制御手段（１９）がコネクタを利用した出力端子を有していれば、コネクタを利用した入力端子を有する記憶媒体（３）の使用が考えられる。
記憶媒体（３）としては、USBメモリ等の携帯可能な外部記憶媒体や、外部に設けられるハードディスク等の外部記憶装置が考えられる。
【００１９】
図５には、上記する図４で示される表示装置に記憶媒体が接続される一実施例を示す。
図５の装置では、基本的な構成は図３で示した構成と同じであり、外部出力回路（１７）に画像変換回路（１８）が接続され、この画像変換回路（１８）にUSB（Universal Serial Bus）制御回路（１９）及びUSB（Universal Serial Bus）ストレージ（３）が接続されている。
図４で示される補助画像処理手段（１８）が、図５の画像変換回路（１８）に相当し、図４の記憶媒体制御手段（１９）が、USB制御回路（１９）に相当し、図４の記憶媒体（３）が図５のUSBストレージに相当している。
このように構成することによって、記憶媒体が接続される表示装置を構築することができる。
【００２０】
図６では、通信ネットワークに本表示装置が接続される場合を示す。尚、図６に於いて、画像処理回路（１０）は、抽出手段（１４）、命令送信手段（１５）、画像情報記憶手段（１６）、変換出力手段（１７）、補助画像処理手段（１８）とネットワーク出力手段（１９）を有している。図６で示す如く、抽出手段（１４）によって抽出された画像情報は、変換出力手段（１７）で通信ネットワーク（５）で送信するための所定の形式（医療画像であればDICOM形式）に変換する。変換された画像情報は補助画像処理手段（１８）に転送され処理される。処理された画像情報は、通信ネットワーク出力手段（２０）へ転送され、通信ネットワーク（４）へ送信できるように設定される。通信ネットワーク出力手段（２０）は、送信する画像情報にアドレス先の住所を付与させたり、パケット通信したりできるようにインターネット・プロトコル（IP）が設定される。
IPの設定が終了した画像情報は、通信ネットワーク（４）を介して所定の画像保存装置（５）へと送信される。この画像保存装置（５）は、通信ネットワーク（４）上に接続されていれば、特に限定されるものではなく、通常の画像情報を保存することのできるサーバであれば構わない。
尚、通信ネットワーク（４）は、通信ネットワーク出力手段（２０）と画像保存装置（５）を送受信可能に接続する通信手段であれば、特に限定されず、インターネット等の通信方法や専用回線を使用する通信方法、衛星通信を利用する方法でも構わない。
【００２１】
図７は、図６に示される通信ネットワークが表示装置に接続される一実施例を示す。
図７の装置では、基本的な構成は図５で示した構成と同じであり、画像変換回路（１８）にネットワーク制御回路（２０）が接続され、このネットワーク制御回路（２０）にネットワーク（４）が接続されている。
図６で示される通信ネットワーク出力手段（２０）が、図７のネットワーク制御回路（２０）に相当している。
このように構成することによって、通信ネットワークに接続される表示装置を構築することができる
【００２２】
本発明に係る表示装置（１）が、外部に保存される画像情報を表示手段（１３）に於いて表示するための構成を説明する。図８では、画像抽出手段を有する表示装置が表示内容保存手段に画像情報を挿入して表示手段（１３）に於いて表示する構成を示す。
図８に於いて、表示装置（１）は、挿入手段（２１）、挿入変換手段（２２）及び画像入力手段（２３）を備えてなり、更に、画像挿入要求装置（７）と、外部に備えられ画像情報を保存する画像保存装置（６）とが接続されている。尚、図８に於いて、画像処理回路（１０）は、挿入手段（２１）、挿入変換手段（２２）及び画像入力手段（２３）を有している。
画像保存装置（６）は、画像情報を保存している記憶装置であり、上述した画像保存装置（５）と同様に、通信ネットワーク（４）に接続されている記憶装置でも構わないし、外部に設けられた外部記憶装置でも構わない。
画像挿入要求装置（７）は、この表示装置（１）の表示手段（１３）に利用者の所望する画像情報を表示するように指定する命令を送信する。例えば、上記画像保存装置（６）の所定のアドレスに利用者の表示させたい画像（画像情報）があれば、このアドレスを指定し、このアドレスを画像入力手段（２３）へ送信する。
尚、この画像挿入要求装置（７）は、後述する画像入力手段（２３）に接続されるとともに、指定されたアドレスを送信することのできる装置であれば構わない。
【００２３】
画像入力手段（２３）は、上述した画像挿入要求装置（７）からの利用者の所望する画像情報のアドレスを受信し、このアドレスに基づいて画像保存装置（６）内から画像情報を検索し選出する。この選出された画像情報は、後述する挿入変換手段（２２）へ送られる。
挿入変換手段（２２）は、画像入力手段（２３）に於いて選出された画像情報を表示手段（１３）に於いて表示することができるように変換する。変換された画像情報は、挿入手段（２１）へ送られる。
挿入手段（２１）は、挿入変換手段（２２）で変換された画像情報を表示内容保存手段（１２）へ転送する。この時、挿入するタイミングは、特に限定されないが、表示手段（１３）に表示される画像情報は、画像処理手段（１１）により所定間隔で表示内容保存手段（１２）へ転送（更新）されているので、転送された画像情報が全て確実に処理されて表示されるために、この転送（更新）が終了した時点が好ましい。
挿入手段（２１）によって、画像情報が表示内容保存手段（１２）に挿入されると、この表示内容保存手段（１２）から保存されている画像情報が表示手段（１３）へ送信され、表示手段（１３）はこの画像情報を表示することになる。
【００２４】
図９は、図８に示される表示装置の一実施例を示す。
図９の装置では、基本的な構成は図５で示した構成と同じであり、入出力制御回路（１１ｄ又は２１）にD/D変換回路（２２）、USB制御回路（２３）、USBストレージ（６）及びトリガスイッチ（７）が接続されていることが異なっている。
図８で示される挿入手段（２１）が、図９の入出力制御回路（２１）に相当し、図８の挿入変換手段（２２）が図９のD/D変換回路（２２）に相当し、図８の画像入力手段（２３）が図９のUSB制御回路（２３）に相当し、図８の画像保存装置（６）がUSBストレージ（６）に相当し、図８の画像挿入要求装置（７）が図９のトリガスイッチ（７）に相当している。
このように構成することによって、上記するように、USBストレージ（６）に保存される画像情報をトリガスイッチ（７）によってUSB制御回路（２３）及びD/D変換回路（２２）を介して、入出力制御回路（２１）に送り、LCDパネル（１３ｂ）で表示することのできる表示装置を構築することができる
以上が本発明に係る表示内容保存手段を有する表示装置（第１実施例の表示装置）の構成の説明である。
【００２５】
次に、本発明に係る表示内容保存手段を有していない表示装置（第２表示装置）に設けられる画像処理回路とこの表示装置の構成について説明する。
図１０は、本発明に係る第２実施例の表示装置の構成を示すブロック図であり、図１１は、図１０の第２実施例の表示装置の一実施例を示し、図１２は、記憶媒体が設けられた際の第２実施例の表示装置のブロック線図であり、図１３は、通信ネットワークに接続される際の第２実施例の表示装置のブロック線図であり、図１４は、第２実施例の表示装置に於ける画像情報を挿入する際の構成を示すブロック図である。
第２実施例の表示装置（１００）は、分配手段（１１１）、画像処理手段（１１）、表示内容保存手段（１２）、表示手段（１３）、抽出手段（１４）、命令送信手段（１５）、画像情報記憶手段（１６）と変換出力手段（１７）を有している。尚、第２実施例に於けるこの画像処理回路（１０１）は、分配手段（１１１）、表示内容保存手段（１２）、抽出手段（１４）、命令送信手段（１５）、画像情報記憶手段（１６）と変換出力手段（１７）を有している。
この第２実施例の表示装置（１００）に於いて、分配手段（１１１）と表示内容保存手段（１２）以外の画像処理手段（１１）、表示手段（１３）、抽出手段（１４）、命令送信手段（１５）、画像情報記憶手段（１６）と変換出力手段（１７）の各手段は、第１実施例の表示装置（１）に設けられる画像処理手段（１１）、表示手段（１３）、抽出手段（１４）、命令送信手段（１５）、画像情報記憶手段（１６）と変換出力手段（１７）の各手段と構成及び動作ともに同一である。
この分配手段（１１１）は、図１０で示す如く、画像処理手段（１１）によって処理された画像情報を２つの画像情報に分配して、夫々表示手段（１３）と表示内容保存手段（１２）へと転送する。この分配手段（１１１）が分配を行う際には、表示手段（１３）と表示内容保存手段（１２）へ転送するタイミングやデータ量（転送される速度）は全く同一である。
表示内容保存手段（１２）は、基本的な構成及び働きは、第１表示装置内に設けられる表示内容保存手段（１２）と全く同じであるが、相違点として、第１表示装置の表示内容保存手段（１２）が表示装置（１）内に画像処理手段（１１）と表示手段（１３）の間に設けられ、表示装置（１）自体に初めから組み込まれているのに対して、第２実施例の表示装置（１００）で使用される表示内容保存手段（１２）は、画像処理回路（１０１）内に設けられていることである。
尚、この第２実施例で使用される表示内容保存手段（１２）は、この回路（１０１）に設けられ、半導体メモリ等のメモリから構成されている。
また、図１０では表示内容保存手段（１２）と画像情報記憶手段（１６）を別の手段として示しているが、一体の記憶手段として配置させても構わない。
【００２６】
第２実施例の表示装置（１００）は、分配手段（１１１）、画像処理手段（１１）、表示内容保存手段（１２）、表示手段（１３）、抽出手段（１４）、命令送信手段（１５）、画像情報記憶手段（１６）と変換出力手段（１７）を有している。尚、第２実施例に於けるこの画像処理回路（１０１）は、分配手段（１１１）、表示内容保存手段（１２）、抽出手段（１４）、命令送信手段（１５）、画像情報記憶手段（１６）と変換出力手段（１７）を有している。
この第２実施例の表示装置（１００）は、上述した如く、分配手段（１１１）が画像処理手段（１１）から転送される処理された画像情報を表示手段（１３）と表示内容保存手段（１２）に分配すること以外の構成及び機能は、第１実施例の表示装置（１）の構成と機能と略同一である。
表示内容保存手段（１２）は、分配手段（１１１）に於いて分配された画像情報を一時的に保存する。この表示内容保存手段（１２）は、画像処理手段（１１）によって処理された画像情報が、分配手段（１１１）を介して、所定時間毎に送信（更新）されており、最新の更新された画像情報が表示内容保存手段（１２）に保存されている。
表示手段（１３）は、画像処理手段（１１）に於いて処理され分配手段（１１１）を介して送られてくる画像情報を表示する。
【００２７】
抽出手段（１４）は、表示内容保存手段（１２）に保存される画像情報を抽出する。この抽出手段（１４）が抽出する画像情報は、表示内容保存手段（１２）に保存されるとともに、表示手段（１３）に於いて表示されている画像情報となる。
この抽出手段（１４）が行う表示内容保存手段（１２）に保存される画像情報を抽出するタイミングは、表示内容保存手段（１２）には所定間隔で画像処理手段（１１）から画像情報が送信（更新）されているので、この送信されている画像情報が確実に送信され終わった際の表示内容保存手段（１２）に保存されている画像情報を抽出することができるように、所定間隔後の画像情報の送信終了時であり、この終了時点から抽出が開始される。
命令送信手段（１５）は、抽出手段（１４）が表示内容保存手段（１２）から画像情報を抽出する命令を送信する。この命令を受けて初めて抽出手段（１４）が表示内容保存手段（１２）に保存される画像情報を抽出することになる。
この命令送信手段（１５）は、表示手段（１３）で表示される画像を利用者が閲覧しながら操作することができるように設けられており、この利用者が所望する画像を抽出する際に、この命令送信手段（１５）に命令を発することにより動作するように設けられている。この命令送信手段（１５）は、適当なきっかけを与えて所定の動作を起こさせるパルスを発するようなトリガ回路から構成されれば構わない。尚、この命令送信手段（１５）から命令が送信されると、上記したタイミングで抽出手段（１４）が画像情報の抽出を行うことになる。
画像情報記憶手段（１６）は、抽出手段（１４）に於いて抽出された画像情報を保存する。この保存される画像情報は、表示手段（１３）で表示される形式のまま保存されていることになる。尚、この画像情報記憶手段（１５）は、表示装置（１）内に抽出した画像情報を保存するために用いられる保存手段であるので、この画像処理回路（１０）に設けておくことが好ましい。
変換出力手段（１７）は、抽出手段（１４）によって抽出された画像情報を所定の形式に変換し出力を行う。
この変換出力手段（１７）が行う形式は、画像情報に関する形式であれば、特に限定されず、DICOM（Digital Imaging and Communications in Medicine）やJPEG（Joint Photographic Experts Group）、GIF（graphics interchange format）等の画像基準形式に変換することができる。特に、前記所定の形式が、DICOM形式に画像情報を変換することができることによって、抽出された画像情報をこの変換出力手段（１７）で変換し、医療用の画像情報として出力することができる。
【００２８】
図１０では、記憶媒体（３）に本表示装置（１００）が接続している場合を示す。尚、この場合も、第２実施例の表示装置（１００）を構成する補助画像処理手段（１８）及び記憶媒体制御手段（１９）は、第１実施例の表示装置（１）と構成及び機能と同一である。
この変換出力手段（１７）は、所定の形式に画像情報を変換し、他の装置の画像処理手段やフラッシュメモリ等の外部記憶装置へ、この画像情報を出力することができる機能を有している。
図１０で示す如く、変換出力手段（１７）が補助画像処理手段（１８）に接続され、更に記憶媒体制御手段（１９）に接続されることにより、記憶媒体（３）へ出力してこの記憶媒体（３）で画像情報を保存させることもできる。この図１０で示される画像処理回路（１０１）は、分配手段（１１１）、表示内容保存手段（１２）、抽出手段（１４）、命令送信手段（１５）、画像情報記憶手段（１６）、変換出力手段（１７）、補助画像処理手段（１８）と記憶媒体制御手段（１９）を有している。
この時、補助画像処理手段（１８）に画像情報が転送されることで、記憶媒体（３）へ保存するための要式を付与させ、次に、記憶媒体制御手段（１９）へ画像情報を転送することによって、外部に設けられる記憶媒体（３）へ送信する。
この記憶媒体（３）は、特に限定されるものではないが、記憶媒体制御手段（１９）がUSB（Universal Serial Bus）用の出力端子を有していれば、USB用の入力端子を有する記憶媒体（３）であれば構わず、記憶媒体制御手段（１９）がコネクタを利用した出力端子を有していれば、コネクタを利用した入力端子を有する記憶媒体（３）が使用されている。
記憶媒体（３）としては、USBメモリ等の携帯可能な外部記憶媒体や、外部に設けられるハードディスク等の外部記憶装置が考えられる。
【００２９】
図１１は、図１０に示される第２表示装置の一実施例を示す。
図１１に示される表示装置の構成は、第１表示装置の構成と類似しており、上記する如く表示内容保存手段を有していない構成が大きく相違し、マルチプレクサ回路（１１１）、メモリ（１２（及び１６））、トリガスイッチ（１５）を有している。
図１１では、入出力制御回路（１１ｄ）とLCDパネル制御回路（１３ａ）の間にマルチプレクサ回路（１１１）が設けられており、このマルチプレクサ回路（１１１）が図１０の分配手段（１１１）に相当する。
出力制御回路（１４）は、図１１で示す如く、マルチプレクサ回路（１１１）に接続されており、図１０の抽出手段（１４）に相当する。
メモリ（１２（及び１６））は、出力制御回路（１４）からの画像情報を保存し、図１０の表示内容保存手段（１２）に相当する。尚、図１１で示される回路のメモリ（１２）は、図１０で示される表示内容保存手段（１２）と画像情報記憶手段（１６）の機能（画像情報を記憶する機能）を有している。
トリガスイッチ（１５）は、出力制御回路（１４）に働きかけることによって、メモリ（１２）に保存される画像情報をD/D変換回路（１７ａ）に送る。D/D変換回路（１７ａ）に送られた画像情報は、外部出力制御回路（１７）へ送られ、外部接続される装置等に送信される。このようにして画像情報を抽出する。
図１１で示される第２表示装置（１００）の動作は、入出力制御回路（１１ｄ）から出力される画像情報が、マルチプレクサ回路（１１１）により分配される。分配される一方の画像情報は、LCDパネル（１３ｂ）で表示されるため、LCDパネル制御回路（１３ａ）へ送られ、他方の画像情報は出力制御回路（１４）へ送られる。
出力制御回路（１４）へ送られた画像情報は、メモリ（１２）へ送られ、格納される。
また、このとき、トリガスイッチ（１５）からの入力信号によって、使用者の所望する画像情報を抽出することができる。
【００３０】
図１２では、通信ネットワークに本表示装置が接続される場合を示す。尚、図１２に於いて、画像処理回路（１０１）は、分配手段（１１１）、表示内容保存手段（１２）、抽出手段（１４）、命令送信手段（１５）、画像情報記憶手段（１６）、変換出力手段（１７）、補助画像処理手段（１８）とネットワーク出力手段（１９）を有している。図１２で示す如く、抽出手段（１４）によって抽出された画像情報は、変換出力手段（１７）で通信ネットワーク（５）で送信するための所定の形式（医療画像であればDICOM形式）に変換する。変換された画像情報は補助画像処理手段（１８）に転送され処理される。処理された画像情報は、通信ネットワーク出力手段（２０）へ転送され、通信ネットワーク（４）へ送信できるように設定される。通信ネットワーク出力手段（２０）は、送信する画像情報にアドレス先の住所を付与させたり、パケット通信したりできるようにインターネット・プロトコル（IP）を設定する。
IPの設定が終了した画像情報は、通信ネットワーク（４）を介して所定の画像保存装置（５）へと送信される。この画像保存装置（５）は、通信ネットワーク（４）上に接続されていれば、特に限定されるものではなく、通常の画像情報を保存することのできるサーバであれば構わない。
尚、通信ネットワーク（４）は、通信ネットワーク出力手段（２０）と画像保存装置（５）を送受信可能に接続する通信手段であれば、特に限定されず、インターネット等の通信方法や専用回線を使用する通信方法、衛星通信を利用する方法でも構わない。
尚、図１２乃至図１４に示される各第２表示装置（１００）の一実施例を示すブロック線図は、図１１に示される第２表示装置（１００）の基本構成と、第１表示装置（１）の各実施例で示される図５，７及び９を夫々参照することによって構築可能であるので、省略する。
【００３１】
本発明に係る第２実施例の表示装置（１００）が、外部に保存される画像情報を表示手段（１３）に於いて表示するための構成を説明する。図１３では、第２実施例の表示装置が表示内容保存手段に画像情報を挿入して表示手段（１３）に於いて表示する構成を示す。
図１３に於いて、第２実施例の表示装置（１００）は、挿入手段（２１）、挿入変換手段（２２）及び画像入力手段（２３）を備えてなり、更に、画像挿入要求装置（７）と、外部に備えられ画像情報を保存する画像保存装置（６）と接続されている。尚、図１３に於いて、画像処理回路（１０１）は、分配手段（１１１）、表示内容保存手段（１２）、挿入手段（２１）、挿入変換手段（２２）及び画像入力手段（２３）を有している。
画像保存装置（６）は、画像情報を保存している記憶装置であり、上述した画像保存装置（５）と同様に、通信ネットワーク（４）に接続されている記憶装置でも構わないし、外部に設けられた外部記憶装置でも構わない。
画像挿入要求装置（７）は、この表示装置（１）の表示手段（１３）に利用者の所望する画像情報を表示するように指定する命令を送信する。例えば、上記画像保存装置（６）の所定のアドレスに利用者の表示させたい画像（画像情報）があれば、このアドレスを指定し、このアドレスを画像入力手段（２３）へ送信する。
尚、この画像挿入要求装置（７）は、後述する画像入力手段（２３）に接続されるとともに、指定されたアドレスを送信することのできる装置であれば構わない。
【００３２】
画像入力手段（２３）は、上述した画像挿入要求装置（７）からの利用者の所望する画像情報のアドレスを受信し、このアドレスに基づいて画像保存装置（６）ないから画像情報を検索し選出する。この選出された画像情報は、後述する挿入変換手段（２２）へ送られる。
挿入変換手段（２２）は、画像入力手段（２３）に於いて選出された画像情報を表示手段（１３）に於いて表示することができるように変換する。変換された画像情報は、挿入手段（２１）へ送られる。
挿入変換（２１）は、挿入変換手段（２２）で変換された画像情報を表示内容保存手段（１２）へ転送する。この時、挿入するタイミングは、特に限定されないが、表示手段（１３）に表示される画像情報は、画像処理手段（１１）により所定間隔で表示内容保存手段（１２）へ転送（更新）されているので、転送された画像情報が全て確実に処理されて表示されるために、この転送（更新）が終了した時点が好ましい。
挿入手段（２１）によって、画像情報が表示内容保存手段（１２）に挿入されると、この表示内容保存手段（１２）から保存されている画像情報が表示手段（１３）へ送信され、表示手段（１３）はこの画像情報を表示することになる。
以上が本発明に係る表示内容保存手段を有する表示装置（第２実施例の表示装置）の構成の説明である。
【００３３】
第１実施例の表示装置に係る動作の説明を図面を参照しつつ説明する。
第１表示装置（１）は、画像を表示手段（１３）で表示するために、画像処理手段（１１）によって処理された画像情報が所定間隔で表示内容保存手段（１２）へ送信され、更新された画像情報の部分だけが表示手段（１３）へと送信されて、表示手段（１３）に於いて表示されている。
利用者は、表示装置（１）の表示手段（１３）に表示される画像を閲覧しながら（Ｓ１）、所望する画像が表示された際に、命令送信手段（１５）に信号を送る（Ｓ２）。尚、この信号によって、命令送信手段（１５）が起動するように設定しておく。
命令送信手段（１５）は、命令を抽出手段（１４）へ送信する（Ｓ３）。
抽出手段（１４）が命令送信手段（１５）からの命令を受信すると、抽出手段（１４）は、表示内容保存手段（１２）に保存されている画像情報を抽出する（Ｓ４）。この時、表示内容保存手段（１２）に保存される画像情報が画像処理手段（１１）から更新されている状態にあれば、更新終了時まで抽出動作は待機し、更新終了時に表示内容保存手段（１２）に保存される画像情報を抽出する。
抽出手段（１４）によって抽出された画像情報は、画像情報記憶手段（１６）を有している場合には、この画像情報記憶手段（１６）に保存され、その後変換出力手段（１７）に送られる（Ｓ５）。
画像情報記憶手段（１６）を有していない場合は、変換出力手段（１７）へ送られる。
変換出力手段（１７）へ送られた画像情報は、利用者の所望する形式に変換される（Ｓ６）。
【００３４】
次に、変換出力手段（１７）に於いて変換された画像情報が記憶媒体（３）に保存される場合の動作を説明する（図１６参照）。
変換出力手段（１７）に於いて変換された画像情報は、補助画像処理手段（１８）に送られ、記憶媒体（３）に保存されることができるように処理される（Ｓ１１）。
補助画像処理手段（１８）に於いて処理された画像情報は、記憶媒体制御手段（１９）に送られて、画像情報が記憶媒体（３）に保存されるように準備される（Ｓ１２）。
この時、例えば、記憶媒体（３）がUSB用入力端子を有する記憶媒体（３）であれば、USB用の転送形式に変換される。
記憶媒体制御手段（１９）に於いて準備された画像情報は、記憶媒体（３）へ送られて、記憶媒体（３）へ保存される（Ｓ１３）。
【００３５】
次いで、変換出力手段（１７）に於いて変換された画像情報が通信ネットワーク（４）を経由して画像保存装置に保存される場合の動作を説明する（図１７参照）。
変換出力手段（１７）に於いて変換された画像情報は、補助画像処理手段（１８）に送られ、通信ネットワーク（４）に於いて送信することができるように処理される（Ｓ２１）。
補助画像処理手段（１８）に於いて処理された画像情報は、通信ネットワーク出力手段（２０）に送られて、通信ネットワーク（４）へ送信が可能なように準備される（Ｓ２２）。
この時、例えば、ＩＰに基づいて、画像情報が所定データ量に分割されてパケット送信可能な状態に変換される。
画像情報は、通信ネットワーク（４）を介して、画像保存装置（５）へ送られ、画像保存装置（５）に保存される（Ｓ２３）。尚、この画像保存装置（５）は、通信ネットワーク（４）に接続されたサーバ等の記憶装置である。
尚、抽出される画像情報が医療画像であれば、変換出力手段（１７）は、抽出された画像情報をDICOM形式に変換して通信ネットワーク（４）へ送ることになる。
【００３６】
本発明に係る第１実施例の表示装置の表示手段に所望する画像情報を表示する場合の動作を説明する（図１８参照）。
利用者は、自らが所望する画像情報が保存されるアドレスを画像挿入要求装置（７）から画像入力手段（２３）へ送る（Ｓ３１）。
画像入力手段（２３）は、所望する画像情報が保存されるアドレスを認識し、このアドレスに保存される画像情報を選出する（Ｓ３２）。
選出された画像情報は、挿入変換手段（２２）へ送られる（Ｓ３３）。
この時、例えば、画像保存装置（６）のＡ番地に所望する画像情報が保存されていれば、このＡ番地を指定することによって、画像入力手段（２３）がＡ番地の画像情報を挿入変換手段（２２）へ転送することになる。
挿入変換手段（２２）へ送られた画像情報は、表示手段（１３）で表示することができるように、この表示手段（１３）に対応する形式に変更される（Ｓ３４）。
挿入変換手段（２２）に於いて変換された画像情報は、挿入手段（２１）へ送られ、この挿入手段（２１）が表示内容保存手段（１２）へ送信する（Ｓ３５）。
この時、挿入手段（２１）が表示内容保存手段（１２）へ画像情報を送信するタイミングは、画像処理手段（１１）から画像情報が更新されていない場合は、挿入変換手段（２２）から変換された画像情報を挿入手段（２１）が受取った際に、直接表示内容保存手段（１２）へ送信すれば構わない。画像処理手段（１１）から画像情報が更新されている場合であれば、画像処理手段（１１）からの画像情報の更新終了時に於いて、挿入手段（２１）から画像情報を送信すれば構わない。
表示内容保存手段（１２）に送信された画像情報は、この表示内容保存手段（１２）に保存され、表示手段（１３）へ送られて表示手段（１３）で表示される（Ｓ３６）。
【００３７】
第２実施例の表示装置の係る動作の説明を図面を参照しつつ説明する。
第２表示装置（１００）は、画像を表示手段（１３）で表示するために、画像処理手段（１１）によって処理された画像情報が所定間隔で分配手段（１１１）へ送信され、この分配手段（１１１）を介して表示手段（１３）及び表示内容保存手段（１２）へと送信され、表示手段（１３）へ送信される画像情報は表示手段（１３）に於いて表示され、表示内容保存手段（１２）へ送信される画像情報はこの表示内容保存手段（１２）へ保存されている。尚、以下第２実施例の表示装置の動作の説明を行うが、第１実施例の表示装置の動作と同じであるので、図１５を参照に説明する。
利用者は、表示装置（１００）の表示手段（１３）に表示される画像を閲覧しながら（Ｓ４１）、所望する画像が表示された際に、命令送信手段（１５）に信号を送る（Ｓ４２）。尚、この信号によって、命令送信手段（１５）が起動するように設定しておく。
命令送信手段（１５）は、命令を抽出手段（１４）へ送信する（Ｓ４３）。
抽出手段（１４）が命令送信手段（１５）からの命令を受信すると、抽出手段（１４）は、表示内容保存手段（１２）に保存されている画像情報を抽出する（Ｓ４４）。
この時、表示内容保存手段（１２）に保存される画像情報が画像処理手段（１１）から更新されている状態にあれば、更新終了時まで抽出動作は待機し、更新終了時に表示内容保存手段（１２）に保存される画像情報を抽出する。
抽出手段（１４）によって抽出された画像情報は、画像情報記憶手段（１６）を有している場合には、この画像情報記憶手段（１６）に保存され、その後変換出力手段（１７）に送られる（Ｓ４５）。
画像情報記憶手段（１６）を有していない場合は、変換出力手段（１７）へ送られる。
変換出力手段（１７）へ送られた画像情報は、利用者の所望する形式に変換される（Ｓ４６）。
【００３８】
第２実施例の表示装置（１００）に係る変換出力手段（１７）に於いて変換された画像情報が記憶媒体（３）に保存される場合の動作、変換出力手段（１７）に於いて変換された画像情報が通信ネットワーク（４）を経由して画像保存装置（６）に保存される場合の動作及び、第２実施例の表示装置の表示手段に所望する画像情報を表示する場合の動作は、第１実施例の表示装置の動作と同様である。
以上が本発明を実施するための最良の形態の説明である。
【図面の簡単な説明】
【００３９】
【図１】本発明に係る概略構成図を示す。
【図２】第１実施例の表示装置の構成を示すブロック線図である。
【図３】図２に示される表示装置の一実施例を示す。
【図４】記憶媒体が設けられた際の第１実施例の表示装置のブロック線図である。
【図５】図４に示される表示装置の一実施例を示す。
【図６】通信ネットワークに接続される際の第１実施例の表示装置のブロック線図である。
【図７】図６に示される表示装置の一実施例を示す。
【図８】第１実施例の表示装置に於ける画像情報を挿入する際の構成を示すブロック線図である。
【図９】図８に示される表示装置の一実施例を示す
【図１０】第２実施例の表示装置の構成を示すブロック線図である。
【図１１】図１０に示される第２表示装置の一実施例を示す。
【図１２】記憶媒体が設けられた際の第２実施例の表示装置のブロック線図である。
【図１３】通信ネットワークに接続される際の第２実施例の表示装置のブロック線図である。
【図１４】第２実施例の表示装置に於ける画像情報を挿入する際の構成を示すブロック線図である。
【図１５】第１及び第２実施例の表示装置が画像情報を抽出する動作を示すフローチャートである。
【図１６】第１及び第２実施例の表示装置が画像情報を記憶媒体に記憶する動作を示すフローチャートである。
【図１７】第１及び第２実施例の表示装置が画像情報を通信ネットワークへ送信する動作を示すフローチャートである。
【図１８】第１及び第２実施例の表示装置の表示手段に画像情報を表示する動作を示すフローチャートである。
【図１９】従来の表示装置の構成を示すブロック線図である。
【符号の説明】
【００４０】
１・・・・・表示装置（第１実施例）
１０・・・・画像処理回路
１００・・・表示装置（第２実施例）
１０１・・・画像処理回路
１１・・・・画像処理手段
１１１・・・分配手段
１２・・・・表示内容保存手段
１３・・・・表示手段
１４・・・・抽出手段
１５・・・・命令送信手段
１６・・・・画像情報記憶手段
１７・・・・変換出力手段
２・・・・・画像入力装置
２０・・・・通信ネットワーク出力手段
３・・・・・通信ネットワーク
【図１】
2005285050.tif 000003
【図２】
2005285050.tif 000004
【図３】
2005285050.tif 000005
【図４】
2005285050.tif 000006
【図５】
2005285050.tif 000007
【図６】
2005285050.tif 000008
【図７】
2005285050.tif 000009
【図８】
2005285050.tif 000010
【図９】
2005285050.tif 000011
【図１０】
2005285050.tif 000012
【図１１】
2005285050.tif 000013
【図１２】
2005285050.tif 000014
【図１３】
2005285050.tif 000015
【図１４】
2005285050.tif 000016
【図１５】
2005285050.tif 000017
【図１６】
2005285050.tif 000018
【図１７】
2005285050.tif 000019
【図１８】
2005285050.tif 000020
【図１９】
2005285050.tif 000021